(57)【要約】【課題】手洗器に複数のネジ孔を設けることなく液剤供給器を回転不能に固定することができ、施工が容易で、外観性にも優れた手洗装置を提供する。【解決手段】手洗装置１は、手洗器２と、手洗器２の立壁部２ａに支持部材３を介して固定される液剤供給器１０と、手洗器２に向かって吐水する自動水栓を備えている。支持部材３は、手洗器２の立壁部２ａを貫通して形成された取付孔５に手洗器２の正面から背面に向かって挿入され、支持部材３が取付孔５の周方向に回転するのを防止するための回り止め手段として取付孔５の背面から突出した支持部材３及び手洗器２の背面部２ｂに回り止め具６が係合され、支持部材３を取付孔５に固定する締結手段として支持部材３にナット８が螺着されている。液剤供給器１０の本体部１９の係止孔１９ａ内に支持部材３の突出部３ａ等が挿入された状態で、当該液剤供給器１０が回転不能に固定されている。【選択図】図３
2008237733.tif 000002
【特許請求の範囲】
【請求項１】
手洗器と、前記手洗器の立壁部に支持部材を介して固定される液剤供給器と、を備えた手洗装置であって、
前記手洗器の立壁部を貫通して形成された取付孔に前記手洗器の正面から背面に向かって挿入された支持部材と、前記支持部材が前記取付孔の周方向に回転するのを防止するため前記取付孔の背面から突出した前記支持部材及び前記手洗器の背面部に係合させた回り止め手段と、前記支持部材を前記取付孔に固定する締結手段と、を備えたことを特徴とする手洗装置。
【請求項２】
前記回り止め手段として、前記取付孔の背面側に突出した前記支持部材に周方向相対回転不能に係合させるとともに前記手洗器の背面部に周方向移動不能に係合させた回り止め具を設けたことを特徴とする請求項１記載の手洗装置。
【請求項３】
前記手洗器の立壁部上方から背面方向に向かって延設されたリム部の下面に、前記回り止め手段の一部を当接させたことを特徴とする請求項１または２記載の手洗装置。
【請求項４】
前記回り止め具を前記支持部材に周方向相対回転不能に係合させるため、前記支持部材の周面に形成された平面部に当接した状態で前記支持部材を把持する長溝部を前記回り止め具に設けたことを特徴とする請求項２または３記載の手洗装置。
【請求項５】
前記支持部材、前記締結手段の少なくとも一方に、前記回り止め具を前記手洗器の背面部に押圧状態で係合させるための補助部材を設けたことを特徴とする請求項２〜４のいずれかに記載の手洗装置。
【発明の詳細な説明】
【技術分野】
【０００１】
本発明は、駅、ホテル、デパート、飲食店あるいは病院等の公共的施設のトイレや洗面所等に配置される手洗装置に関する。
【背景技術】
【０００２】
駅やホテル等の公共的施設のトイレや洗面所等に配置された手洗装置には、手洗用の水石けん等の液剤供給器が手洗器に併設されたものがある。このような液剤供給器は、手洗器の立壁部あるいは建物の壁面等に複数のネジを用いて固定されている。この場合、液剤供給器に外力が加わったときに回転するのを防止するため、複数のネジは互いに上下に離間させて配置されている（例えば、特許文献１参照。）。
【０００３】
【特許文献１】実公昭５１−１２０７８号公報
【発明の開示】
【発明が解決しようとする課題】
【０００４】
従来の手洗装置において、液剤供給器を手洗器の立壁部に固定する場合、液剤供給器が回転するのを防止するため、当該立壁部に予め開設された複数のネジ孔に雄ネジを挿入、螺着して液剤供給器を固定する必要がある。しかしながら、焼成工程を経て製造される陶器製の手洗器の立壁部に比較的小径の複数のネジ孔を高精度で開設することは極めて困難である。また、実際に手洗い等を行う際に湯水がかかることの多い手洗器の立壁部に複数のネジ孔が存在すると、これらのネジ孔から漏水する可能性も高い。
【０００５】
本発明が解決しようとする課題は、手洗器に複数のネジ孔を設けることなく液剤供給器を回転不能に固定することができ、施工が容易で、外観性にも優れた手洗装置を提供することにある。
【課題を解決するための手段】
【０００６】
本発明の手洗装置は、手洗器と、前記手洗器の立壁部に支持部材を介して固定される液剤供給器と、を備えた手洗装置であって、
前記手洗器の立壁部を貫通して形成された取付孔に前記手洗器の正面から背面に向かって挿入された支持部材と、前記支持部材が前記取付孔の周方向に回転するのを防止するため前記取付孔の背面から突出した前記支持部材及び前記手洗器の背面部に係合させた回り止め手段と、前記支持部材を前記取付孔に固定する締結手段と、を備えたことを特徴とする。
【０００７】
このような構成とすれば、手洗器の立壁部の取付孔に挿入された支持部材は、手洗器の背面部に配置された回り止め手段により回転不能な状態に固定されるため、この支持部材に液剤供給器を取り付ければ、手洗器の立壁部に複数のネジ孔を設けることなく液剤供給器を回転不能に固定することができる。施工の際は、手洗器の立壁部に設けられた一つの取付孔に挿入した支持部材及び手洗器の背面部に回り止め手段を係合させ、固定手段で固定すればよいので、位置合わせに手間がかからず、施工が容易である。また、手洗器に複数のネジ孔を設ける必要がないので、漏水の可能性が大幅に低下し、手洗器の立壁部正面に複数のネジ等が露出しないので、外観性も向上する。
【０００８】
ここで、前記回り止め手段として、前記取付孔の背面側に突出した前記支持部材に周方向相対回転不能に係合させるとともに前記手洗器の背面部に周方向移動不能に係合させた回り止め具を設けることが望ましい。このような構成とすれば、取付孔の背面側に突出した支持部材と、手洗器の背面部とにそれぞれ回り止め具を係合させればよいので、さらに施工が容易となり、確実な回り止め効果を得ることができる。
【０００９】
この場合、前記手洗器の立壁部上方から背面方向に向かって延設されたリム部の下面に、前記回り止め手段の一部を当接させることが望ましい。このような構成とすれば、手洗器に形成されているリム部を利用して回り止め手段を係合させることができるため、施工性が向上する。
【００１０】
一方、前記回り止め具を前記支持部材に周方向相対回転不能に係合させるため、前記支持部材の周面に形成された平面部に当接した状態で前記支持部材を把持する長溝部を前記回り止め具に設けることができる。このような構成とすれば、支持部材の平面部に対する回り止め具の長溝部の係合位置が変更可能となるため、手洗器の背面部における回り止め具の係合位置と、取付孔との距離が手洗器の製造公差によって変動しても、手洗器の背面部の所定位置に回り止め具を確実に当接させることができる。また、支持部材の平面部に対し回り止め具の長溝部を係合させることにより、取付孔に対する支持部材の固定姿勢が定まるため、位置合わせの手間が省ける。
【００１１】
また、前記支持部材、前記締結手段の少なくとも一方に、前記回り止め具を前記手洗器の背面部に押圧状態で係合させるための補助部材を設けることができる。このような構成とすれば、回り止め具を手洗器の背面部に強固に係合させることができるため、回り止め作用が高まるとともに、ガタツキも防止することができる。
【発明の効果】
【００１２】
本発明により、手洗器に複数のネジ孔を設けることなく液剤供給器を回転不能に固定することができ、施工が容易で、外観性にも優れた手洗装置を提供することができる。
【発明を実施するための最良の形態】
【００１３】
以下、図面に基づいて、本発明の第一実施形態について説明する。図１は本発明の第一実施形態である手洗装置を示す正面斜視図、図２は図１に示す手洗装置の背面斜視図、図３は図１に示す手洗装置の垂直断面図、図４は図３の一部拡大図、図５は図３における矢線Ｂ方向から見た図である。
【００１４】
図１〜図４に示すように、本実施形態の手洗装置１は、手洗器２と、手洗器２の立壁部２ａに支持部材３を介して固定される液剤供給器１０と、手洗器２に向かって吐水する自動水栓４を備えている。支持部材３は、手洗器２の立壁部２ａを貫通して形成された取付孔５に手洗器２の正面から背面に向かって挿入されている。支持部材３が取付孔５の周方向に回転するのを防止するための回り止め手段として、取付孔５の背面から突出した支持部材３と、手洗器２の背面方向に向かって延設されたリム部２ｃの下面２ｂと、に回り止め具６が係合され、支持部材３を取付孔５に固定する締結手段として支持部材３にナット８が螺着されている。また、回り止め具６をリム部２ｃの下面２ｂに押圧状態で係合させるための複数の押圧ボルト７ａを有する補助部材７が、回り止め具６と同様、ナット８により支持部材３に固定されている。回り止め具６及び補助部材７はそれぞれ断面Ｌ字状の板材で形成されている。
【００１５】
図４に示すように、支持部材３は、その中央付近に取付孔５の内径より外径の大きなフランジ３ｆを有し、フランジ３ｆの正面側に、後述する液剤供給器１０の本体部１９を固定するための突出部３ａが設けられ、フランジ３ｆの背面側に回り止め具６及び補助部材７を取り付けるとともにナット８が螺着される雄ねじ部３ｂが設けられている。図５に示すように、雄ねじ部３ｂの外周には、互いに平行をなす一対の平面部３ｄが形成されている。
【００１６】
ここで、図６〜図９に基づいて、手洗器２の立壁部２ａに開設された取付孔５に対する支持部材３の固定構造について説明する。図６は図１に示す手洗装置を構成する液剤供給器の支持部材の固定構造を示す斜視図、図７及び図８は図６に示す支持部材の固定構造を示す分解斜視図、図９は図６に示す支持部材の固定構造を示す分解側面図である。なお、構造を明示するため、図６〜図８に示す取付孔５の内径は支持部材３のフランジ３ｆの外径より大きく描いているが、実際の取付孔５の内径は支持部材３のフランジ３ｆの外径より小である。
【００１７】
図６〜図９に示すように、支持部材３は、そのフランジ３ｆの背面側に形成された雄ねじ部３ｂを立壁部２ａの取付孔５へ挿入し、フランジ３ｆを立壁部２ａの正面に当接させた状態で保持する。そして、取付孔５の背面側から水平に突出した雄ねじ部３ｂに、ワッシャ９及び波形ワッシャ１１を取り付け、雄ねじ部３ｂ外周の一対の平面部３ｄを、断面Ｌ字状の回り止め具６の垂直部６ｖに設けられた長溝部６ａで挟持するように取り付けた後、断面Ｌ字状の補助部材７の垂直部７ｖに開設された貫通孔７ｇを雄ねじ部３ｂが貫通するように取り付け、貫通孔７ｇから突出した雄ねじ部３ｂにナット８を螺着する。この場合、回り止め具６の水平部６ｈ上面がリム部２ｃの下面２ｂに当接するように取り付け、補助部材７の水平部７ｈが、回り止め具６の水平部６ｈの下方において当該水平部６ｈと平行をなすように取り付ける。
【００１８】
そして、貫通孔７ｇから突出した雄ねじ部３ｂに螺着されたナット８を軽く締め付けることによって仮止めした後、補助部材７の水平部７ｈに開設された複数のボルト孔７ｂにそれぞれ押圧ボルト７ａを下方から螺着して締め込んでいくと、押圧ボルト７ａの先端が回り止め具６の水平部６ｈの下面に当接して水平部６ｈを押し上げる。これにより、回り止め具６の水平部６ｈはリム部２ｃの下面２ｂに押圧される。この後、雄ねじ部３ｂに螺着されたナット８を締め付ければ、支持部材３が立壁部２ａに回転不能に固定される。
【００１９】
次に、図３，図４で示したように、液剤供給器１０の本体部１９の背面部に開口した係止孔１９ａ内に、支持部材３の突出部３ａ及びフランジ３ｆが挿入されるように液剤供給器１０を取り付け、本体部１９の下面から上方に向かってネジ２３を差し込み、突出部３ａに開設された雌ネジ孔３ｃに螺着すると、液剤供給器１０が支持部材３に回転不能に固定される。本体部１９の係止孔１９ａ内に突出部３ａが挿入されるとき、係止孔１９ａ内に設けられた突起部１９ｃと、突出部３ａの先端部に設けられた平面部３ｅとを面接触させることにより、両者の位置決めが一義的に行われる。
【００２０】
本実施形態の手洗装置１においては、手洗器２の立壁部２ａの取付孔５に挿入された支持部材３は、手洗器２の背面部に配置された回り止め具６により回転不能な状態に固定される。従って、回転不能に固定された支持部材３に液剤供給器１０を取り付けることにより、当該液剤供給器１０を回転不能に固定することができる。支持部材３を取り付ける際は、手洗器２の立壁部２ａに設けられた一つの取付孔５に挿入した支持部材３と、手洗器２のリム部２ｃの下面２ｂと、それぞれに回り止め具６を係合させ、ナット８で固定すればよいので、施工が容易である。また、手洗い中に湯水がかかることの多い手洗器２の立壁部２ａに複数のネジ孔を設ける必要がなくなるため、漏水の可能性が大幅に低下し、手洗器２の立壁部２ａ正面に複数のネジ等が露出しないので外観性も優れている。
【００２１】
回り止め具６は、取付孔５の背面側に突出した支持部材３の雄ねじ部３ｂに周方向相対回転不能に係合させるとともに、手洗器２の背面部に位置するリム部２ｃの下面２ｂに周方向移動不能に係合させればよいので、施工は容易であり、確実な回り止め効果を得ることができる。
【００２２】
この場合、手洗器２の立壁部２ａ上方から背面方向かって延設されたリム部２ｃの下面２ｂに、回り止め具６の一部を係合させているため、一般的な手洗器２に形成されているリム部２ｃを利用して回り止め具６を係合させることができ、施工性に優れている。
【００２３】
一方、回り止め具６を支持部材３に周方向相対回転不能に係合させるため、支持部材３の周面に形成された一対の平面部３ｄに当接した状態で支持部材３を把持する長溝部６ａを回り止め具６に設けたことにより、支持部材３の平面部３ｄに対する回り止め具６の長溝部６ａの係合位置が上下変更可能である。従って、手洗器２の背面部における回り止め具６の水平部６ｈの係合位置（下面２ｂ）と取付孔５との距離が手洗器２の製造公差によって変動しても、手洗器２の背面部の所定位置（下面２ｂ）に回り止め具６の水平部６ｈを確実に当接させることができる。また、支持部材３の平面部３ｄに対し回り止め具６の長溝部６ａを係合させることにより、取付孔５に対する支持部材３の固定姿勢が一義的に定まるため、位置合わせの手間も省ける。
【００２４】
また、回り止め具６を手洗器２の背面部（下面２ｂ）に押圧状態で係合させるため、複数の押圧ボルト７ａを有する補助部材７を支持部材３に取り付けているため、回り止め具６の水平部６ｈに向かって押圧ボルト７ａを締め込むことにより、回り止め具６を手洗器２のリム部２ｃの下面２ｂに強固に係合させることができる。これにより、回り止め作用が高まるとともに、ガタツキも防止することができる。
【００２５】
ここで、手洗装置１を構成する液剤供給器１０の構造、機能等について説明する。図３，図４に示すように、液剤供給器１０は、液剤を収容するための円筒形状のタンク１４と、タンク１４の下面部分に突設された円筒状開口部１４ａを受け入れるタンク導入部１５と、この円筒状開口部１４ａから供給される液剤を吐出する吐出口１６と、円筒状開口部１４ａから吐出口１６へ至る流路を開閉することによって吐出口１６からの液剤の吐出停止を行う弁機構１８とを有している。また、支持部材３を介して立壁部２ａに取り付けられる本体部１９と、タンク１４を本体部１９のタンク導入部１５と連通した状態で着脱可能に取り付けるための連結機構２０と、を備えている。
【００２６】
吐出口１６からの液剤の吐出停止を行う弁機構１８は、吐出口１６と同軸上に配置されたバルブシート２５と、バルブシート２５の上面側に昇降可能に配置された弁体２６ａ付きの操作桿２６と、弁体２６ａを含む操作桿２６全体をバルブシート２５側へ付勢するバネ２７と、バネ２７を弁体２６ａ側へ押圧固定するハット状の固定具２８と、を備えている。
【００２７】
タンク１４を本体部１９のタンク導入部１５に着脱可能に取り付ける連結機構２０は、タンク１４の下面部分に突設された円筒状開口部１４ａの外周に回転可能に装着された短筒状の連結部材２９と、連結部材２９外周に設けられた雄ネジ部２９ａを螺合させるため本体部１９のタンク導入部１５内周に設けられた雌ネジ部１５ａと、連結部材２９を円筒状開口部１４ａ外周に離脱不能に取り付けるためのストッパ部材３０と、を備えている。  
【００２８】
タンク１４の上面には開口部１４ｂが設けられ、この開口部１４ｂを開閉する蓋体１４ｃが支軸１４ｄを中心に回転可能に取り付けられ、蓋体１４ｃの一部に通気孔１４ｅが設けられている。蓋体１４ｃを支軸１４ｄ中心に回転させるとタンク１４の上面の開口部１４ｂが露出したり、閉塞されたりするので、タンク１４内への液剤の補給等を行うことができる。
【００２９】
液剤供給器１０の使い方は従来のものと同様であり、本体部１９の下面から突出する操作桿２６を上方に押し上げると、弁体２６ａがバルブシート２５から離れるので、円筒状開口部１４ａの内側に収容されている液剤Ｒが、操作桿２６と吐出口１６内周との隙間を通過して下方へ吐出される。また、操作桿２６に対する押し上げ力を解除すると、バネ２７の復元力により、操作桿２６が下降して弁体２６ａがバルブシート２５に押圧され隙間が閉塞されるので、液剤Ｒの吐出が停止する。
【００３０】
次に、図１０〜図１２に基づいて、本発明の第二実施形態について説明する。図１０は本発明の第二実施形態である手洗装置を示す垂直断面図、図１１は図１０の一部拡大図、図１２は図１０における矢線Ｃ方向から見た図である。なお、図１０〜図１２において図１〜図９と同じ符号を付している部分は手洗装置１の構成部分と同じ構造、機能を有する部分であり、説明を省略する。
【００３１】
図１０〜図１２に示す手洗装置５０においては、図３に示す手洗装置１の構成部材である回り止め具６及び補助部材７の代わりに回り止め具５６のみを用いている。回り止め具５６は断面Ｌ字状の板状で形成され、支持部材３の雄ねじ部３ｂに係合する垂直部５６ｖと、リム部２ｃの下面２ｂに当接する水平部５６ｈとを備えている。立壁部２ａの取付孔５の背面から突出する支持部材３の雄ねじ部３ｂ外周の平面部３ｄを垂直部５６ｖに形成された長溝部５６ａで挟持するように取り付け、水平部５６ｈをリム部２ｃの下面２ｂに当接させ、雄ねじ部３ｂにナット８を螺着して締め付ければ、支持部材３が立壁部２ａに固定される。
【００３２】
手洗装置５０の場合、図３に示す手洗装置１の構成部材である補助部材７を使うことなく、回り止め手段として回り止め具５６のみを用いて支持部材３を手洗器２の立壁部２ａの取付孔５に回転不能に固定することができるため、構造の簡素化を図ることができる。その他の部分の構造、機能等については、前述した手洗装置１と同様である。
【産業上の利用可能性】
【００３３】
本発明の手洗装置は、駅、ホテル、デパート、飲食店あるいは病院等の公共的施設のトイレや洗面所等に配置して広く利用することができる。
【図面の簡単な説明】
【００３４】
【図１】本発明の第一実施形態である手洗装置を示す正面斜視図である。
【図２】図１に示す手洗装置の背面斜視図である。
【図３】図１に示す手洗装置の垂直断面図である。
【図４】図３の一部拡大図である。
【図５】図３における矢線Ｂ方向から見た図である。
【図６】図１に示す手洗装置を構成する液剤供給器の支持部材の固定構造を示す斜視図である。
【図７】図６に示す支持部材の固定構造を示す分解斜視図である。
【図８】図６に示す支持部材の固定構造を示す分解斜視図である。
【図９】図６に示す支持部材の固定構造を示す分解側面図である。
【図１０】本発明の第二実施形態である手洗装置を示す垂直断面図である。
【図１１】図１０の一部拡大図である。
【図１２】図１０における矢線Ｃ方向から見た図である。
【符号の説明】
【００３５】
１，５０  手洗装置
２  手洗器
２ａ  立壁部
２ｂ  下面
２ｃ  リム部
３  支持部材
３ａ  突出部
３ｂ  雄ねじ部
３ｃ  雌ねじ孔
３ｄ，３ｅ  平面部
３ｆ  フランジ
４  自動水栓
５  取付孔
６，５６  回り止め具
６ａ  長溝部
６ａ，５６ａ  長溝部
６ｈ，５６ｈ  水平部
６ｖ，５６ｖ  垂直部
７  補助部材
７ａ  押圧ボルト
７ｂ  ボルト孔
７ｃ  水平部
７ｇ  貫通孔
７ｖ  垂直部
８  ナット
９  ワッシャ
１０  液剤供給器
１１  波形ワッシャ
１４  タンク
１４ａ  円筒状開口部
１４ｂ  開口部
１４ｃ  蓋体
１４ｄ  支軸
１５  タンク導入部
１５ａ  雌ネジ部
１６  吐出口
１８  弁機構
１９  本体部
１９ａ  係止孔
１９ｃ  突起部
２０  連結機構
２５  バルブシート
２６  操作桿
２６ａ  弁体
２７  バネ
２８  固定具
２９  連結部材
２９ａ  雄ネジ部
３０  ストッパ部材
【図１】
2008237733.tif 000003
【図２】
2008237733.tif 000004
【図３】
2008237733.tif 000005
【図４】
2008237733.tif 000006
【図５】
2008237733.tif 000007
【図６】
2008237733.tif 000008
【図７】
2008237733.tif 000009
【図８】
2008237733.tif 000010
【図９】
2008237733.tif 000011
【図１０】
2008237733.tif 000012
【図１１】
2008237733.tif 000013
【図１２】
2008237733.tif 000014